(57)【要約】      （修正有）【課題】小さくて、良好な熱消散結果を有するＬＥＤ発光モジュールを提供する。【解決手段】発光モジュール１０は、環状キャリープレート１００と、トッププレート部品２００と、複数の回路基板３００と、複数の第１のＬＥＤ４００と、複数の第２のＬＥＤ５００と、駆動回路６００とを含む。環状キャリープレートは、第１の端部１１０と第２の端部１２０を有し、収容スペース１５０を取り囲む。トッププレート部品は、第１の端部に配置される。複数の回路基板は、環状キャリープレートの周りに配置され、トッププレート部品に電気的に接続される。複数の第１のＬＥＤは、回路基板上に配置され、複数の第２のＬＥＤは、トッププレート部品上に配置される。駆動回路は、収容スペース内に配置され、トッププレート部品に電気的に接続され、複数の第１のＬＥＤと、複数の第２のＬＥＤとを駆動する。第２の端部の一部は、熱消散用空気排出口を形成する。【選択図】図２
0003192040.tif 000002
【実用新案登録請求の範囲】
【請求項１】
第１の端部を有し、収容スペースを取り囲む環状キャリープレートと、
前記第１の端部に配置されるトッププレート部品と、
前記環状キャリープレートの周りに配置され、前記トッププレート部品に電気的に接続される複数の回路基板と、
前記複数の回路基板上に配置される複数の第１のＬＥＤと、
前記トッププレート部品上に配置される複数の第２のＬＥＤと、
前記収容スペース内に配置され、前記トッププレート部品に電気的に接続される駆動回路と、を含み、
前記駆動回路は、複数の第１のＬＥＤと、複数の第２のＬＥＤとを駆動するための回路であることを特徴とする発光モジュール。
【請求項２】
支持プレートをさらに含み、
前記環状キャリープレートは、さらに第２の端部を有し、
前記第１の端部と前記第２の端部とは、互いに前記環状キャリープレートの反対端部に位置し、
前記支持プレートは、前記環状キャリープレートに配置され、前記第２の端部の一部を覆い、
前記支持プレートによって覆われていない前記第２の端部の他の部分は、少なくとも一つの空気排出口を形成する請求項１に記載の発光モジュール。
【請求項３】
接続配線グループをさらに含み、
前記支持プレートは、少なくとも一つの第１の配線操作孔と、少なくとも一つの冷却孔とを含み、
前記接続配線グループの一端は、前記駆動回路に接続され、
前記接続配線グループの他端は、前記少なくとも一つの第１の配線操作孔を通り、
前記少なくとも一つの冷却孔は、前記収容スペースと連通する請求項２に記載の発光モジュール。
【請求項４】
アダプターをさらに含み、
前記アダプターの一端は、支持プレート上に配置されている請求項３に記載の発光モジュール。
【請求項５】
前記アダプターは、少なくとも一つの第２の配線操作孔を有し、
前記接続配線グループの他端は、前記少なくとも一つの第２の配線操作孔を通る請求項４に記載の発光モジュール。
【請求項６】
前記アダプターは、前記空気排出口を覆い、少なくとも一つの空気孔を有し、
前記少なくとも一つの空気孔は、前記少なくとも一つの空気排出口と連通する請求項５に記載の発光モジュール。
【請求項７】
前記駆動回路は、リセット可能なヒューズを有する請求項１に記載の発光モジュール。
【請求項８】
前記トッププレート部品は、第１のプレートと、第２のプレートとを含み、
前記第１のプレートは、前記第２のプレートに取り付けられ、
前記複数の回路基板は、前記第２のプレートから離れた前記第１のプレートの一方の側に電気的に接続され、
前記複数の第２のＬＥＤは、前記第１のプレートから離れた前記第２のプレートの一方の側に配置され、前記第１のプレートに電気的に接続され、
前記駆動回路は、前記第１のプレートに電気的に接続されている請求項１に記載の発光モジュール。
【請求項９】
前記アダプターは、環状の外面と、前記環状の外面上に配置された少なくとも３つの制限ブロックとを有する請求項４に記載の発光モジュール。
【請求項１０】
前記少なくとも３つの制限ブロックと支持プレートとの間の鉛直距離は、等しい請求項９に記載の発光モジュール。
【請求項１１】
前記少なくとも３つの制限ブロックのうちの少なくとも２つと支持プレートとの間の鉛直距離は、異なっている請求項９に記載の発光モジュール。
【請求項１２】
前記環状キャリープレートは、前記複数の回路基板に対応する複数の溝をさらに有し、
前記複数の回路基板は、前記溝に留められている請求項１に記載の発光モジュール。
【請求項１３】
前記数の第１のＬＥＤと、前記複数の第２のＬＥＤとを覆うカバーをさらに含む請求項１に記載の発光モジュール。
【考案の詳細な説明】
【技術分野】
【０００１】
本考案は、発光モジュールに関し、より具体的には、ＬＥＤｓを有する発光モジュールに関する。
【背景技術】
【０００２】
近年、発光ダイオード（LEDs）は、広く使用され、先進技術によってより明るくなっている。ＬＥＤの輝度は、従来の照明装置よりもはるかによい。加えて、ＬＥＤは、コンパクトで軽く、長寿命で良好な耐振動性を有し、短い時間で反応することができる。その結果、ＬＥＤは、従来の照明装置にとって代ることが期待されている。
【考案の概要】
【考案が解決しようとする課題】
【０００３】
しかしながら、ＬＥＤも問題がないというわけではない。ＬＥＤ照明装置の大きさはまだ比較的大きく、その熱消散を改善する必要性がある。加えて、ＬＤＥデバイスの電力は、電流が大き過ぎる時、遮断され（cut off）、不便である。したがって、小さくて、良好な熱消散結果を有するＬＥＤ照明装置を設計することが重要である。また、過電流の間中の電源異常（power failure）の問題を解決すべきである。
【課題を解決するための手段】
【０００４】
発光モジュールは、環状キャリープレートと、トッププレート部品と、複数の回路基板と、複数の第１のＬＥＤと、複数の第２のＬＥＤと、駆動回路とを含む。環状キャリープレートは、第１の端部を有し、収容スペースを取り囲んでいる。トッププレート部品は、前記第１の端部に配置されている。複数の回路基板は、環状キャリープレートの周りに配置され、前記トッププレート部品に電気的に接続されている。複数の第１のＬＥＤは、前記回路基板上に配置されている。複数の第２のＬＥＤは、前記トッププレート部品上に配置されている。駆動回路は、前記収容スペース内に配置され、前記トッププレート部品に電気的に接続されている。駆動回路は、複数の第１のＬＥＤと、複数の第２のＬＥＤとを駆動するための回路である。
【図面の簡単な説明】
【０００５】
説明の目的のためにのみ添付された図面とともに、ここに記載された詳細な説明から本考案を十分に理解できるだろう。したがって、本考案は、この開示に限定されない。
【０００６】
【図１】本考案の第１実施形態に係る発光モジュールを示す斜視図である。
【図２】図１の分解図である。
【図３】図１の別の分解図である。
【図４】本考案の第２実施形態に係る発光モジュールを示す斜視図である。
【図５】本考案の第３実施形態に係る発光モジュールを示す斜視図である。
【考案を実施するための形態】
【０００７】
以下の詳細な説明において、説明の目的のために、多くの詳細な具体例が本考案の実施形態の理解を提供するために説明される。しかしながら、１または２以上の実施形態は、これら詳細な具体例なしに実施され得ることは明らかである。他の例では、公知の構造や公知のデバイスは、図を簡略化するために模式的に示される。
【０００８】
図１は、本考案の第１実施形態に係る発光モジュールを示す斜視図である。図２は、図１の分解図である。図３は、図１の別の分解図である。図１から図３に示されるように、発光モジュール１０は、環状キャリープレート（annular carrying plate）１００と、トッププレート部品２００と、複数の回路基板３００と、複数の第１のＬＥＤ４００と、複数の第２のＬＥＤ５００と、駆動回路６００と、支持プレート７００と、接続配線グループ８００と、アダプター９００とを含んでいる。
【０００９】
環状キャリープレート１００は、第１の端部１１０と、それと反対の第２の端部１２０と、複数の溝１３０とを有する。環状キャリープレート１００は、収納スペース１５０を取り囲み、形成する。
【００１０】
トッププレート部品２００は、第１の端部１１０に配置され、第１のプレート２１０と、第２のプレート２２０とを含む。第１のプレート２１０は、第２のプレート２２０に取り付けられている。
【００１１】
複数の回路基板３００は、環状キャリープレート１００上に配置され、それを取り囲む。さらに、回路基板は、第２のプレートの一方の側に電気的に接続されている。この実施形態において、回路基板３００は、溝１３０に強固に留められている。
【００１２】
複数の第１のＬＥＤ４００は、これら複数の回路基板３００上に配置されている。一方、複数の第２のＬＥＤ５００は、第１のプレート２１０から離れて第２のプレート２２０の一方の側上に配置されている。複数の第２のＬＥＤ５００は、第１のプレート２１０に電気的に接続されている。
【００１３】
駆動回路６００は、収納スペース１５０内に位置し、トッププレート部品２００の第１のプレート２１０に電気的に接続されている。駆動回路６００は、複数の第１のＬＥＤ４００と、複数の第２のＬＥＤ５００とを駆動するための回路である。この実施形態において、駆動回路６００は、（図示しない）リセット可能なヒューズ（resettable fuse）を有する。電流が大きすぎると、リセット可能なヒューズの使用のために、複数の第１のＬＥＤ４００と複数の第２のＬＥＤ５００の輝度が減少する。電流が正常に戻ると、複数の第１のＬＥＤ４００と複数の第２のＬＥＤ５００の輝度は正常に戻る。それによって、過電流が原因の電源異常の問題を解決する。さらに、この実施形態の駆動回路６００は、発光モジュール１０の大きさを小さくするように、収納スペース１５０内に位置されている。
【００１４】
支持プレート７００は、環状キャリープレート１００に配置されており、第２の端部１２０の一部を覆う。支持プレート７００で覆われていない第２の端部１２０の他の部分は、２つの空気排出口１４０を形成する。２つの空気排出口１４０は、収納スペース１５０と連通し、発光モジュール１０によって発生する熱を消散することができる。他の実施形態において、空気排出口１４０の数は、１以上であればよい。また、空気排出口１４０は、他の形状で形成されてもよい。すなわち、他の実施形態において、環状キャリープレート１００は、（本考案の第２実施形態に係る発光モジュールを示す斜視図である図４に示されるように）少なくとも一つの空気排出口１４０’を有するように設計されてもよい。支持プレート７００は、２つの第１の配線操作孔（first line management holes）７２０と、２つの冷却孔７１０とを含む。２つの冷却孔７１０は、収納スペース１５０と連通する。２つの冷却孔７１０の使用によって、発光モジュール１０の熱消散効果が改善される。他の実施形態において、第１の配線操作孔７２０の数と、冷却孔７１０の数はそれぞれ、１以上であればよい。
【００１５】
接続配線グループ８００の一端は、駆動回路６００に接続されている。一方、他端は、２つの第１の配線操作孔７２０を通過する。
【００１６】
アダプター９００の一方の側は、支持プレート７００上に配置されている。アダプター９００は、空気排出口１４０を覆う。アダプター９００は、２つの第２の配線操作孔９１０と、６つの空気孔９２０とを有する。駆動回路６００から延びる接続配線グループ８００の他端は、２つの第２の配線操作孔９１０を通過する。６つの空気孔９２０は、２つの空気排出口１４０と連通する。接続配線グループ８００が第１の配線操作孔７２０と第２の配線操作孔９１０とを通るので、発光モジュール１０の配線は整然とし、ユーザーは簡単かつ便利にそれらを接続することができる。また、６つの空気孔９２０は、２つの空気排出口１４０と連通する。その結果、発光モジュール１０によって発せられた熱は、２つの空気排出口１４０と、６つの空気孔９２０を介して消散される。それによって、発光モジュール１０の熱消散効果を改善する。この実施形態において、アダプター９００は、Ｔ２０ランプホルダー用のものであるが、これに限定されない。他の実施形態において、アダプター９００は、Ｔ１６ランプホルダー用に適するように設計されてもよい。他の実施形態において、第２の配線操作孔７２０の数は、１以上であればよい。他の実施形態において、空気孔９２０の数は１以上であればよい。
【００１７】
さらに、発光モジュールの別の構造が提供される。図５は、本考案の第３実施形態に係る発光モジュールを示す斜視図である。図５に示すように、この実施形態の発光モジュール１０’は、発光モジュール１０と同様であるので、それらの相違点のみを説明する。
【００１８】
アダプター９００’は、Ｓ２５ランプホルダー用のものであり、環状の外面９５０と、５つの制限ブロック（five limit blocks）９６０とを有する。５つの制限ブロック９６０は、環状の外面９５０上に配置されている。この実施形態において、５つの制限ブロック９６０のうちの３つから支持プレート７００までの距離Ｄ１は等しい。一方、５つの制限ブロック９６０のうちの残り２つから支持プレート７００までの距離Ｄ２は距離Ｄ１と異なる。この実施形態において、５つの制限ブロック９６０は、任意のタイプのＳ２５ランプホルダーに合うように設計されている。例えば、それは、モデルＮｏ．ＢＡＹ１５Ｄ（１１５７）のＳ２５ランプホルダー、モデルＮｏ．ＢＡＺ１５ＤのＳ２５ランプホルダー、モデルＮｏ．ＢＡ１５ｄのＳ２５ランプホルダー、モデルＮｏ．ＢＡＵ１５ＳのＳ２５ランプホルダー、または、モデルＮｏ．ＢＡ１５Ｓ（１１５６）のＳ２５ランプホルダーに使用される。さらに、ある実施形態において、制限ブロック９６０の数は３つであり、３つの制限ブロック９６０から支持プレート７００までの鉛直距離は等しい。ある実施形態において、制限ブロック９６０の数は３つであり、３つの制限ブロック９６０のうちの少なくとも２つから支持プレート７００までの鉛直距離は異なっている。
【００１９】
また、発光モジュールは、（図１、図２、図３、図４または図５に示されるように）カバー９９０をさらに含んでいてもよい。カバー９９０は、複数の第１のＬＥＤ４００と複数の第２のＬＥＤ５００とを覆う。カバー９９０は、発光モジュールの構造が損傷することを防止するために使用され、光源を隠しながら全体の外観を美しくすることができる。加えて、カバー９９０は、明るい色に変えてもよく、接続される部品と一体的に形成されることができる。
【００２０】
本開示の発光モジュールにおいて、駆動回路は、発光モジュールの大きさが小さくなるように、収納スペース内に収納されている。また、支持プレートによって覆われていない第２の端部の一部は、空気排出口を形成する。支持プレートの空気孔は、これら空気排出口と連通する。それによって、発光モジュールの熱消散効果を改善している。
【００２１】
さらに、支持プレートは、冷却孔が熱消散効果をさらに改善するために収納スペースと連通することを含む。
【００２２】
またさらに、発光モジュールの駆動回路は、過電流が原因の電源異常の問題を解決するためのリセット可能なヒューズを有する。
【図１】
0003192040.tif 000003
【図２】
0003192040.tif 000004
【図３】
0003192040.tif 000005
【図４】
0003192040.tif 000006
【図５】
0003192040.tif 000007